(57)【要約】【課題】施工現場での取り付け作業を簡単に行うことができる外曲がり吊具を提供することにある。【解決手段】外曲がり（２ａ）を建物の出隅部（６１）に配置して、この外曲がり（２ａ）を吊具本体（４）にて吊り支持する外曲がり吊具であって、上記吊具本体（４）が、上記建物の出隅部（６１）に直に取り付けられる取付部（４１）を有しており、この取付部（４１）の両端部に上下に二箇所ずつ固定具（１１）にて上記建物の出隅部（６１）の両壁面に取り付け固定するための固着穴（７）がそれぞれ穿孔されていて、この二箇所の固着穴（７）の穴形状が上記固定具（１１）どうしが干渉しあわないようにそれぞれテーパー状に形成されている。【選択図】　　　　図１
2004036208.tif 000002
【特許請求の範囲】
【請求項１】
外曲がりを建物の出隅部に配置して、この外曲がりを吊具本体にて吊り支持する外曲がり吊具であって、上記吊具本体が、上記建物の出隅部に直に取り付けられる取付部を有しており、この取付部の両端部に上下に二箇所ずつ固定具にて上記建物の出隅部の両壁面に取り付け固定するための固着穴がそれぞれ穿孔されていて、この二箇所の固着穴の穴形状が上記固定具どうしが干渉しあわないようにそれぞれテーパー状に形成されていることを特徴とする外曲がり吊具。
【請求項２】
上記二箇所の固着穴の穴形状が、上記建物の出隅部の両壁面に近づくほど広く開口するようにそれぞれテーパー状に形成されていることを特徴とする請求項１記載の外曲がり吊具。
【請求項３】
上記二箇所の固着穴のうち、下側の固着穴がそれぞれ長穴となっていることを特徴とする請求項１または請求項２記載の外曲がり吊具。
【請求項４】
上記外曲がりを外側片と内側片とを有して上方に開口する平面視略Ｌ字状に形成し、上記吊具本体が、上記取付部より出隅方向に突出する延設部を有しており、この延設部の先端部に外側支持部として上記外曲がりの両側の外側片をそれぞれ吊り支持する二つの外側係止片を突設するとともに、同延設部の突出基部近傍に上記外曲がりの内側片を吊り支持する内側支持部を形成して成ることを特徴とする請求項１ないし請求項３いずれか記載の外曲がり吊具。
【請求項５】
上記外曲がりの外側片の上端縁部である端縦部より内方に端横片を突設するとともに、この端横片の内側端部に下方に向けて断面環状をした外耳部を形成し、この外耳部の外側辺部と上記端縦部との間に上記吊具本体の上端部が両側に隙間を介して挿入されて上記隙間を移動自在とする挿入部を形成してなることを特徴とする請求項１ないし請求項４いずれか記載の外曲がり吊具。
【請求項６】
上記吊具本体の内側支持部に弾性部を設けていることを特徴とする請求項１ないし請求項５いずれか記載の外曲がり吊具。
【請求項７】
上記吊具本体の内側支持部の下端部に、上記外曲がりの内側片を誘導するために外側支持部方向の斜め下方に向けて下方へ行くほど幅広となる誘導部を設けていることを特徴とする請求項１ないし請求項６いずれか記載の外曲がり吊具。
【発明の詳細な説明】
【０００１】
【発明の属する技術分野】
本発明は、外曲がり吊具に関し、具体的には、建物の出隅部に配置するのに有用な外曲がり吊具に関するものである。
【０００２】
【従来の技術】
従来より、建物の外壁面には軒樋を配置していたものであった。そして、外曲がりを建物の出隅部に配置するとともに、この外曲がりを図８の（ａ）および（ｂ）に示すごとき吊具本体（４）にて吊り支持して、同外曲がりと軒樋とを繋げていたものであった。
【０００３】
また、上記吊具本体（４）は、同図８の（ａ）および（ｂ）に示すように、上記建物の出隅部に直に取り付けられる取付部（４１）を有しており、この取付部（４１）の両端部に上下に二箇所ずつ固定具（１１）にて上記建物の出隅部の両壁面に取り付け固定するための固着穴（７）がそれぞれ穿孔されていたものであり、施工現場においては建物の出隅部に取付部（４１）を当接させて固着穴（７）に固定具（１１）が取り付けられていたものであった。
【０００４】
【発明が解決しようとする課題】
しかしながら、このような外曲がり吊具においては、施工現場で取付部（４１）を出隅部に対して取り付け固定する際に、取付部（４１）の両端部からそれぞれ固着穴（７）に挿着固定される固定具（１１）としては、同図８の（ｂ）に示すごとき固定具（１１）どうしが互いに干渉しあってしまい、結果的に、固着穴（７）に対して充分な挿着固定をすることができず、同固定具（１１）を出隅部（６１）にすっきりと納められないものであり、問題として残っていたものであった。
【０００５】
本発明は、上記の事実に鑑みてなされたものであって、その目的とするところは、施工現場での取り付け作業を簡単に行うことができる外曲がり吊具を提供することにある。
【０００６】
【課題を解決するための手段】
本発明の請求項１に係る外曲がり吊具は、外曲がり（２ａ）を建物の出隅部（６１）に配置して、この外曲がり（２ａ）を吊具本体（４）にて吊り支持する外曲がり吊具であって、上記吊具本体（４）が、上記建物の出隅部（６１）に直に取り付けられる取付部（４１）を有しており、この取付部（４１）の両端部に上下に二箇所ずつ固定具（１１）にて上記建物の出隅部（６１）の両壁面に取り付け固定するための固着穴（７）がそれぞれ穿孔されていて、この二箇所の固着穴（７）の穴形状が上記固定具（１１）どうしが干渉しあわないようにそれぞれテーパー状に形成されていることを特徴とする。
【０００７】
本発明の請求項２に係る外曲がり吊具は、上記二箇所の固着穴（７）の穴形状が、上記建物の出隅部（６１）の両壁面に近づくほど広く開口するようにそれぞれテーパー状に形成されていることを特徴とする。
【０００８】
本発明の請求項３に係る外曲がり吊具は、上記二箇所の固着穴（７）のうち、下側の固着穴（７ｂ）がそれぞれ長穴（８）となっていることを特徴とする。
【０００９】
本発明の請求項４に係る外曲がり吊具は、上記外曲がり（２ａ）を外側片（２１）と内側片（２２）とを有して上方に開口する平面視略Ｌ字状に形成し、上記吊具本体（４）が、上記取付部（４１）より出隅方向に突出する延設部（４２）を有しており、この延設部（４２）の先端部に外側支持部（４３）として上記外曲がり（２ａ）の両側の外側片（２１）をそれぞれ吊り支持する二つの外側係止片（１０）を突設するとともに、同延設部（４２）の突出基部近傍に上記外曲がり（２ａ）の内側片（２２）を吊り支持する内側支持部（４４）を形成して成ることを特徴とする。
【００１０】
本発明の請求項５に係る外曲がり吊具は、上記外曲がり（２ａ）の外側片（２１）の上端縁部である端縦部（９）より内方に端横片（２６）を突設するとともに、この端横片（２６）の内側端部に下方に向けて断面環状をした外耳部（２４）を形成し、この外耳部（２４）の外側辺部（２４ａ）と上記端縦部（９）との間に上記吊具本体（４）の上端部（４３ａ）が両側に隙間を介して挿入されて上記隙間を移動自在とする挿入部（２７）を形成してなることを特徴とする。
【００１１】
本発明の請求項６に係る外曲がり吊具は、上記吊具本体（４）の内側支持部（４４）に弾性部を設けていることを特徴とする。
【００１２】
本発明の請求項７に係る外曲がり吊具は、上記吊具本体（４）の内側支持部（４４）の下端部に、上記外曲がり（２ａ）の内側片（２２）を誘導するために外側支持部（４３）方向の斜め下方に向けて下方へ行くほど幅広となる誘導部（４５）を設けていることを特徴とする。
【００１３】
【発明の実施の形態】
以下、本発明の実施形態について図面に基づいて詳しく説明する。
【００１４】
図１は、本発明の一実施形態に係る外曲がり吊具を示し、（ａ）は平面図であり、（ｂ）は側面図であり、（ｃ）は要部のみを示した上面図であり、固定具が取り付けられる際の様子を合わせて示しているものである。図２は、図１の外曲がり吊具の要部のみを示した側面図である。図３は、本発明の一実施形態に係る外曲がり吊具に外曲がりを取り付けた様子を示した側面図である。図４は、図３における外曲がり吊具に外曲がりを取り付けた様子で、（ａ）はＡ部拡大図であり、（ｂ）はＢ部拡大図である。図５は、本発明の外曲がり吊具において用いられる一実施形態に係る外曲がりを示し、（ａ）は平面図であり、（ｂ）は側面図であり、（ｃ）は斜視図である。図６は、本発明の一実施形態に係る外曲がり吊具を示し、（ａ）は背面図であり、（ｂ）は延設部の断面図であり、（ｃ）は斜視図である。図７は、本発明の一実施形態に係る外曲がりおよび外曲がり吊具を配置する建物の平面図である。
【００１５】
本発明の外曲がり吊具は、図１ないし図７に示すごとく、外曲がり（２ａ）を建物の出隅部（６１）に配置して、この外曲がり（２ａ）を吊具本体（４）にて吊り支持する外曲がり吊具であって、上記吊具本体（４）が、上記建物の出隅部（６１）に直に取り付けられる取付部（４１）を有しており、この取付部（４１）の両端部に上下に二箇所ずつ固定具（１１）にて上記建物の出隅部（６１）の両壁面に取り付け固定するための固着穴（７）がそれぞれ穿孔されていて、この二箇所の固着穴（７）の穴形状が上記固定具（１１）どうしが干渉しあわないようにそれぞれテーパー状に形成されているものである。
【００１６】
上記建物の外壁面には、図７に示すように、平面部（６０）と出隅部（６１）および入隅部（６２）を有しており、軒樋（１）と曲がり（２）を配置するもので、軒樋（１）と内曲がり（２ｂ）は軒樋吊具（３）を介してそれぞれ平面部（６０）と入隅部（６２）とに取り付けられており、外曲がり（２ａ）は外曲がり用の吊具本体（４）を介して出隅部（６１）に取り付けるものである。この際に用いる外曲がり（２ａ）と外曲がり用の吊具本体（４）について以下に説明する。
【００１７】
上記外曲がり（２ａ）は、図５の（ａ）〜（ｃ）に示すように、両側の側片である外側片（２１）及び内側片（２２）と底片（２３）とからなる断面が上方に開口する大略コ字状をしたもので、平面視において略Ｌ字状に形成したものである。底片（２３）はほぼ水平となるとともに、内側片（２２）は底片（２３）に対してほぼ直角に起立し、外側片（２１）は、底片（２３）の端部より外側斜め上方に連設されているものである。また、外側片（２１）は、上縦片（２１ａ）とこの上縦片（２１ａ）の下端部より内側に連設される中横片（２１ｂ）と、中横片（２１ｂ）の内側端部より内側斜め下方に連設されて底片（２３）に接続される下傾斜片（２３ｃ）とからなっているものである。上縦片（２１ａ）の上端縁部となる端縦部（９）の上端からは内方に向けて端横片（２６）を突設し、この端横片（２６）の内側端部に下方に向けて外耳部（２４）を形成してあり、外耳部（２４）の外側辺部（２４ａ）と端縦部（９）および端横片（２６）とで囲まれる挿入部（２７）が形成してある。
【００１８】
上記挿入部（２７）は、後で詳述するが、外曲がり（２ａ）の吊具となる吊具本体（４）の外側係止片（１０）の上端部（４３ａ）が移動自在に挿入されるものである。また、内側片（２２）の上端部には内耳部（２５）を設け、この内耳部（２５）の下側辺部（２５ａ）の内側端部に内耳リブ（２８）を突設しているものである。
【００１９】
上記吊具本体（４）は、図１の（ａ）、（ｂ）および図６の（ａ）〜（ｃ）に示すように、建物の出隅部（６１）に取り付けられる取付部（４１）と、取付部（４１）より外側に延設される延設部（４２）とで構成されているものであり、この延設部（４２）に外曲がり（２ａ）を吊り支持する外側支持部（４３）および内側支持部（４４）とが設けられているものである。
【００２０】
上記取付部（４１）は、出隅部（６１）の両壁面にそれぞれ取り付けられる平板状の部材を接合したような平面視略Ｌ字状のもので、両端部に二箇所ずつそれぞれ出隅部（６１）の両壁面に取り付け固定するための固着穴（７）が穿孔してある。上記延設部（４２）は、上記取付部（４１）から外側に向かって延設されるもので、本実施形態では複数の棒状または板状の部材を連結して構成してあるが、形状などは特に限定されないものである。この延設部（４２）は、取付部（４１）を建物の出隅部（６１）に取り付けた際に、同取付部（４１）から出隅方向、すなわち、出隅部（６１）の両壁面に対してそれぞれほぼ１３５°の角度をなすように突出するものである。そして、延設部（４２）の外側端部には外側支持部（４３）を設けるとともに、延設部（４２）の内側端部近傍には、内側支持部（４４）を設けるものであり、後で説明する。
【００２１】
上記固着穴（７）は、固定具（１１）にて上記建物の出隅部（６１）の両壁面に取り付け固定するためのものであり、図１ないし図３、図６に示すごとく、上記取付部（４１）の両端部に上下に二箇所ずつそれぞれ穿孔されているものである。しかも、本発明では、この二箇所の固着穴（７）の穴形状が上記固定具（１１）どうしが干渉しあわないようにそれぞれテーパー状に形成されているものである。
【００２２】
そして、上記外側支持部（４３）が設けられる延設部（４２）の外側端部は、吊り支持する外曲がり（２ａ）の外角部、つまり、平面視略Ｌ字状の外側片（２１）の折曲部より幾分か内角部、つまり、平面視略Ｌ字状の内側片（２２）の折曲部側に位置するもので、この延設部（４２）の外側端部から外側係止片（１０）を二つ突設して外側支持部（４３）を設けてあるものである。外側係止片（１０）は、平面視において吊り支持する外曲がり（２ａ）の両側の外側片（２１）の内側にほぼ沿うように突設されるものである。上記吊具本体（４）の外側支持部（４３）にて外曲がり（２ａ）の外側片（２１）を支持するには、図４の（ａ）に示すように、外側支持部（４３）にあるそれぞれの外側係止片（１０）の上端部（４３ａ）を外曲がり（２ａ）にある両側の外側片（２１）の挿入部（２７）に挿入し、上端部（４３ａ）に外曲がり（２ａ）の外側片（２１）の端横片（２６）を載置して二点支持の状態で支持するものである。なお、それぞれの外側支持部（４３）にある外側係止片（１０）の上端部（４３ａ）の対向する側と反対側の端部に切欠（Ｋ）が形成してあり、外曲がり（２ａ）を取り付ける際に、外側片（２１）と干渉するのを防止することができるものである。
【００２３】
また、上記内側支持部（４４）は、延設部（４２）の内側端部近傍の外曲がり（２ａ）の内耳部（２５）が配置される部分に、外側、すなわち、取付部（４１）側に面する縦壁部（４４ａ）と、この縦壁部（４４ａ）の下端部より外側に向けて上方に面する載置部（４４ｂ）が形成してあり、さらに、この載置部（４４ｂ）の内側端部より上方に向けて位置決めリブ（４４ｃ）が突設してある。上記吊具本体（４）の内側支持部（４４）にて外曲がり（２ａ）の内側片（２２）を支持するには、図４の（ｂ）に示すように、外曲がり（２ａ）の内側片（２２）の内耳リブ（２８）を吊具本体（４）の内側支持部（４４）の位置決めリブ（４４ｃ）を乗り越えさせて載置部（４４ｂ）に載置するとともに、上記位置決めリブ（４４ｃ）に当接させて支持するものである。
【００２４】
また、上記載置部（４４ｂ）の下端部からは、外曲がり（２ａ）の内側片（２２）を誘導するために、外側支持部（４３）方向の斜め下方に向けて下方へ行く程幅広となる誘導部（４５）が設けてあるものである。これは、後述するように、外曲がり（２ａ）を上記吊具本体（４）にスムーズに取り付けるためのもので、平面視において外側支持部（４３）側に行く程幅広となるように形成してあるものである。
【００２５】
このような外曲がり（２ａ）を上記吊具本体（４）にて建物の出隅部（６１）に配置する手順としては、出隅方向に延設部（４２）が突出するように出隅部（６１）に吊具本体（４）を取り付けて、外曲がり（２ａ）の外側片（２１）の挿入部（２７）を吊具本体（４）の外側支持部（４３）の上端部（４３ａ）に被嵌して、外側支持部（４３）の上端部（４３ａ）に載置した外曲がり（２ａ）の外側片（２１）の端横片（２６）を中心として外曲がり（２ａ）の内側片（２２）を上方に回動させて、内側片（２２）の内耳リブ（２８）を吊具本体（４）の内側支持部（４４）の位置決めリブ（４４ｃ）を乗り越えさせて、上記載置部（４４ｂ）に載置することで行うものである。このとき、位置決めリブ（４４ｃ）によって外曲がり（２ａ）の内角部が位置決めされるものである。また、この時、誘導部（４５）によって外曲がり（２ａ）を吊具本体（４）にスムーズに取り付けることが可能となるものである。このようにして、図３に示すように、吊具本体（４）の外側支持部（４３）と内側支持部（４４）とでそれぞれ外曲がり（２ａ）の外側片（２１）と内側片（２２）とを三点支持して外曲がり（２ａ）を吊り支持するものである。
【００２６】
そして、この時、上記外曲がり（２ａ）の挿入部（２７）に挿入される外側係止片（１０）の上端部（４３ａ）は、両側に隙間（Ｃ１），（Ｃ２）が形成されて、この隙間（Ｃ１），（Ｃ２）内を移動自在としてあるために、両端部に接続された軒樋（１）の温度変化による熱伸縮が吸収可能となるものである。また、特に、図示はしないが、上記吊具本体（４）の内側支持部（４４）に弾性部を設けても良いものである。これは、内側支持部（４４）である縦壁部（４４ａ）、載置部（４４ｂ）、位置決めリブ（４４ｃ）などを弾性体で形成したりするもので、これによって、両端部に接続された軒樋（１）の温度変化による熱伸縮が追従可能となるものである。
【００２７】
以上のような構成によれば、先に曲がり（２）を建物の出隅部（６１）や入隅部（６２）に取り付けて軒樋（１）の形成すべき長さである隣接する曲がり（２）間の距離（ｈ１やｈ２）を計測するにあたり、外曲がり（２ａ）を一つの同外曲がり（２ａ）用の吊具本体（４）を用いて、出隅部（６１）に容易に配置することが可能となるものである。これによって、先に曲がり（２）を出隅部（６１）や入隅部（６２）に取り付けて配置しておくことで、軒樋（１）の形成すべき長さである隣接する曲がり（２）間の距離（ｈ１やｈ２）を容易に計測することができて、すなわち、先に曲がり（２）を取り付けない場合にある作業者が曲がり（２）を手に持って出隅部（６１）や入隅部（６２）に配置した状態で別の作業者が曲がり（２）間の距離を計測するといったようなことはなくて、計測を一人で行うことが可能となって、結果として、これらの作業の施工性が向上するものである。
【００２８】
そして、図１の（ａ）および（ｃ）に示すごとく、上記二箇所の固着穴（７）の穴形状が、上記建物の出隅部（６１）の両壁面に近づくほど広く開口するようにそれぞれテーパー状に形成されているものであると、施工現場において取付部（４１）を出隅部（６１）に対して取り付け固定する際に、取付部（４１）の両端部からそれぞれ固着穴（７）に挿着固定される固定具（１１）としては、同固着穴（７）の穴形状が建物の出隅部（６１）の両壁面に近づくほど広く開口するようにそれぞれテーパー状に形成されていることで、同図１の（ｃ）に示すごとき固定具（１１）どうしが確実に干渉しあわないので、同固定具（１１）を出隅部（６１）にすっきりと納めながらより一層簡単に取り付けられるものであり、結果として、施工現場での作業をより一層容易に完結させることができるものであり、しかも、取付部（４１）が出隅部（６１）にすっきりと納まっていることで、取付部（４１）は充分に密着した状態で取り付け固定させることができるものである。よって、施工現場での取り付け作業をより一層簡単に行うことができるものである。
【００２９】
特に、図１の（ｂ）、図２および図３に示すごとく、上記二箇所の固着穴（７）のうち、下側の固着穴（７ｂ）がそれぞれ長穴（８）となっているものであると、取付部（４１）が出隅部（６１）に対して取り付け固定される際に、同取付部（４１）がずれていたとしても、二箇所の固着穴（７）のうち、下側の固着穴（７ｂ）がそれぞれ長穴（８）となっていることで、同長穴（８）の形状により、取付部（４１）のずれを吸収することができて、若干の微調整をしながら取り付け作業を行うことができ、その結果、施工現場での作業をより一層容易に完結させることができるものであり、しかも、取付部（４１）が出隅部（６１）に確実にすっきりと納まっていることで、取付部（４１）は充分に密着した状態で取り付け固定させることができるものであり、よって、施工現場での取り付け作業をより一層簡単に行うことができるものである。しかも、取付部（４１）は出隅部（６１）に対して充分に密着した状態で取り付け固定されているので、施工を完結させた後も、外曲がり（２ａ）が下方へおじぎするのを確実に防止することができるものである。
【００３０】
なお、上記二箇所の固着穴（７）のうち、下側の固着穴（７ｂ）がそれぞれ長穴（８）となっている場合、施工現場において取付部（４１）を出隅部（６１）に対して取り付け固定する際に、まず、上側の固着穴（７ａ）を出隅部（６１）に対して取り付け固定してから、次に、微調整するようにして取付部（４１）をずらしながら、下側の固着穴（７ｂ）を出隅部（６１）に対して取り付け固定させることができる点でも非常に好ましいものである。
【００３１】
【発明の効果】
本発明の請求項１に係る外曲がり吊具によると、外曲がり（２ａ）を建物の出隅部（６１）に配置して、この外曲がり（２ａ）を吊具本体（４）にて吊り支持する外曲がり吊具であって、上記吊具本体（４）が、上記建物の出隅部（６１）に直に取り付けられる取付部（４１）を有しており、この取付部（４１）の両端部に上下に二箇所ずつ固定具（１１）にて上記建物の出隅部（６１）の両壁面に取り付け固定するための固着穴（７）がそれぞれ穿孔されていて、この二箇所の固着穴（７）の穴形状が上記固定具（１１）どうしが干渉しあわないようにそれぞれテーパー状に形成されているので、施工現場において取付部（４１）を出隅部（６１）に対して取り付け固定する際に、取付部（４１）の両端部からそれぞれ固着穴（７）に挿着固定される固定具（１１）としては、同固着穴（７）の穴形状がそれぞれテーパー状に形成されていることで、固定具（１１）どうしが確実に干渉しあわないので、同固定具（１１）を出隅部（６１）にすっきりと納めながら簡単に取り付けられるものであり、結果として、施工現場での作業を容易に完結させることができるものであり、しかも、取付部（４１）が出隅部（６１）にすっきりと納まっていることで、取付部（４１）は充分に密着した状態で取り付け固定させることができるものである。
【００３２】
すなわち、本発明は、施工現場での取り付け作業を簡単に行うことができるものである。
【００３３】
本発明の請求項２に係る外曲がり吊具によると、請求項１記載の場合に加えて、施工現場において取付部（４１）を出隅部（６１）に対して取り付け固定する際に、取付部（４１）の両端部からそれぞれ固着穴（７）に挿着固定される固定具（１１）としては、同固着穴（７）の穴形状が建物の出隅部（６１）の両壁面に近づくほど広く開口するようにそれぞれテーパー状に形成されていることで、固定具（１１）どうしが確実に干渉しあわないので、同固定具（１１）を出隅部（６１）にすっきりと納めながらより一層簡単に取り付けられるものであり、結果として、施工現場での作業をより一層容易に完結させることができるものであり、しかも、取付部（４１）が出隅部（６１）にすっきりと納まっていることで、取付部（４１）は充分に密着した状態で取り付け固定させることができるものである。よって、施工現場での取り付け作業をより一層簡単に行うことができるものである。
【００３４】
本発明の請求項３に係る外曲がり吊具によると、請求項１または請求項２記載の場合に加えて、取付部（４１）が出隅部（６１）に対して取り付け固定される際に、同取付部（４１）がずれていたとしても、二箇所の固着穴（７）のうち、下側の固着穴（７ｂ）がそれぞれ長穴（８）となっていることで、同長穴（８）の形状により、取付部（４１）のずれを吸収することができて、若干の微調整をしながら取り付け作業を行うことができ、その結果、施工現場での作業をより一層容易に完結させることができるものであり、しかも、取付部（４１）が出隅部（６１）に確実にすっきりと納まっていることで、取付部（４１）は充分に密着した状態で取り付け固定させることができるものであり、よって、施工現場での取り付け作業をより一層簡単に行うことができるものである。しかも、取付部（４１）は出隅部（６１）に対して充分に密着した状態で取り付け固定されているので、施工を完結させた後も、外曲がり（２ａ）が下方へおじぎするのを確実に防止することができるものである。
【００３５】
本発明の請求項４に係る外曲がり吊具によると、請求項１ないし請求項３いずれか記載の場合に加えて、外曲がり（２ａ）を外側片（２１）と内側片（２２）とを有して上方に開口する平面視略Ｌ字状に形成し、吊具本体（４）が、取付部（４１）より出隅方向に突出する延設部（４２）を有しており、この延設部（４２）の先端部に外側支持部（４３）として上記外曲がり（２ａ）の両側の外側片（２１）をそれぞれ吊り支持する二つの外側係止片（１０）を突設するとともに、同延設部（４２）の突出基部近傍に上記外曲がり（２ａ）の内側片（２２）を吊り支持する内側支持部（４４）を形成したので、外曲がり（２ａ）を一つの吊具本体（４）のみで出隅部（６１）に容易に配置可能となるものである。
【００３６】
本発明の請求項５に係る外曲がり吊具によると、請求項１ないし請求項４いずれか記載の場合に加えて、外曲がり（２ａ）の外側片（２１）の上端縁部である端縦部（９）より内方に端横片（２６）を突設するとともに、この端横片（２６）の内側端部に下方に向けて断面環状をした外耳部（２４）を形成し、この外耳部（２４）の外側辺部（２４ａ）と上記端縦部（９）との間に吊具本体（４）の上端部（４３ａ）が両側に隙間を介して挿入されて上記隙間を移動自在とする挿入部（２７）を形成したので、両端部に接続された軒樋（１）の温度変化による熱伸縮が吸収可能となるものである。
【００３７】
本発明の請求項６に係る外曲がり吊具によると、請求項１ないし請求項５いずれか記載の場合に加えて、吊具本体（４）の内側支持部（４４）に弾性部を設けたので、両端部に接続された軒樋（１）の温度変化による熱伸縮が追従可能となるものである。
【００３８】
本発明の請求項７に係る外曲がり吊具によると、請求項１ないし請求項６いずれか記載の場合に加えて、吊具本体（４）の内側支持部（４４）の下端部に、外曲がり（２ａ）の内側片（２２）を誘導するために外側支持部（４３）方向の斜め下方に向けて下方へ行くほど幅広となる誘導部（４５）を設けたので、外曲がり（２ａ）を吊具本体（４）にスムーズに取り付けることが可能となるものである。
【図面の簡単な説明】
【図１】本発明の一実施形態に係る外曲がり吊具を示し、（ａ）は平面図であり、（ｂ）は側面図であり、（ｃ）は要部のみを示した上面図であり、固定具が取り付けられる際の様子を合わせて示しているものである。
【図２】図１の外曲がり吊具の要部のみを示した側面図である。
【図３】本発明の一実施形態に係る外曲がり吊具に外曲がりを取り付けた様子を示した側面図である。
【図４】図３における外曲がり吊具に外曲がりを取り付けた様子で、（ａ）はＡ部拡大図であり、（ｂ）はＢ部拡大図である。
【図５】本発明の外曲がり吊具において用いられる一実施形態に係る外曲がりを示し、（ａ）は平面図であり、（ｂ）は側面図であり、（ｃ）は斜視図である。
【図６】本発明の一実施形態に係る外曲がり吊具を示し、（ａ）は背面図であり、（ｂ）は延設部の断面図であり、（ｃ）は斜視図である。
【図７】本発明の一実施形態に係る外曲がりおよび外曲がり吊具を配置する建物の平面図である。
【図８】一従来例に係る外曲がり吊具を示し、（ａ）は平面図であり、（ｂ）は要部のみを示した上面図であり、固定具が取り付けられる際の様子を合わせて示しているものである。
【符号の説明】
２ａ　　外曲がり
４　　　吊具本体
７　　　固着穴
７ｂ　　下側の固着穴
８　　　長穴
９　　　端縦部
１０　　外側係止片
１１　　固定具
２１　　外側片
２２　　内側片
２４　　外耳部
２４ａ　外側辺部
２６　　端横片
２７　　挿入部
４１　　取付部
４２　　延設部
４３　　外側支持部
４３ａ　上端部
４４　　内側支持部
４５　　誘導部
６１　　出隅部
【図１】
2004036208.tif 000003
【図２】
2004036208.tif 000004
【図３】
2004036208.tif 000005
【図４】
2004036208.tif 000006
【図５】
2004036208.tif 000007
【図６】
2004036208.tif 000008
【図７】
2004036208.tif 000009
【図８】
2004036208.tif 000010